(57)【要約】【課題】電池の電池寿命の一元管理を容易に行うこと。【解決手段】複数の電池１，１ａ，１ｂおよび充電器２，２ａ，２ｂならびに１台の管理サーバ３３で電池管理システムを構成し、各充電器２，２ａ，２ｂの通信部２４から送信された識別ＩＤを対応付けた電池の充電終了を示す情報を、管理サーバ３の通信部３１で受信し、管理サーバ３の管理部３３は、識別ＩＤ毎に電池の充電終了を示す情報の受信回数を充電回数とみなして累積加算し、この管理部３３で累積加算した充電回数をもとに電池寿命を管理する。【選択図】        図１
2008079456.tif 000002
【特許請求の範囲】
【請求項１】
識別ＩＤが付された電池と、
前記電池に付された前記識別ＩＤを読み取り該読み取った識別ＩＤを対応付けて電池の充電終了を示す情報を送信するとともに前記電池の充電を行う複数の充電器と、
各充電器に接続され該各充電器で送信された前記識別ＩＤを対応付けた電池の充電終了を示す情報を受信し前記識別ＩＤ毎に該電池の充電終了を示す情報の受信回数を充電回数として累積加算し該累積加算した充電回数を前記識別ＩＤに対応付けて記録するとともに該充電回数をもとに電池寿命を管理する管理サーバと、
を備えたことを特徴とする電池管理システム。
【請求項２】
前記識別ＩＤが付された電池は所定の処理を行う処理装置に装填されており、
前記充電器は前記電池の充電終了を示す情報に代えて前記処理装置が行う処理の処理終了を示す情報を前記識別ＩＤに対応付けて送信し、
前記管理サーバは前記各充電器で送信された前記識別ＩＤを対応付けた前記処理終了を示す情報を受信し前記識別ＩＤ毎に該処理終了を示す情報の受信回数を処理回数として累積加算し該累積加算した処理回数を前記識別ＩＤに対応付けて記録するとともに該処理回数をもとに電池寿命を管理することを特徴とする請求項１に記載の電池管理システム。
【請求項３】
識別ＩＤが付された電池と、
前記電池に付された前記識別ＩＤを読み取り該読み取った識別ＩＤに対応付けて電池の充電回数を記憶し該記録した電池の充電回数を識別ＩＤに対応付けて送信し該送信した電池の充電回数の前記記録を消去するとともに前記電池の充電を行う複数の充電器と、
各充電器に接続され該各充電器で送信された前記識別ＩＤを対応付けた電池の充電回数を受信し前記識別ＩＤ毎に該電池の充電回数を累積加算し該累積加算した充電回数を前記識別ＩＤに対応付けて記録するとともに該充電回数をもとに電池寿命を管理する管理サーバと、
を備えたことを特徴とする電池管理システム。
【請求項４】
前記識別ＩＤが付された電池は所定の処理を行う処理装置に装填されており、
前記充電器は前記電池の充電回数に代えて前記処理装置が行う処理の処理回数を前記識別ＩＤに対応付けて送信し、
前記管理サーバは前記各充電器で送信された前記識別ＩＤを対応付けた前記処理回数を受信し前記識別ＩＤ毎に該電池の処理回数を累積加算し該累積加算した処理回数を前記識別ＩＤに対応付けて記録するとともに該処理回数をもとに電池寿命を管理することを特徴とする請求項３に記載の電池管理システム。
【請求項５】
装填された電池に付された識別ＩＤを読み取り、前記電池の充電回数を該読み取られた識別ＩＤに対応付けて記録するとともに所定の処理を行う処理装置と、
前記処理装置に記録された電池の充電回数を前記識別ＩＤに対応付けて送信し該送信した電池の充電回数の前記記録を消去するとともに前記電池の充電を行う複数の充電器と、
各充電器に接続され該各充電器で送信された前記識別ＩＤを対応付けた電池の充電回数の情報を受信し前記識別ＩＤ毎に該受信した電池の充電回数を累積加算し該累積加算した充電回数を前記識別ＩＤに対応付けて記録するとともに該記録した充電回数をもとに電池寿命を管理する管理サーバと、
を備えたことを特徴とする電池管理システム。
【請求項６】
前記処理装置は、前記電池の充電回数に代えて前記処理装置が行う処理の処理回数を前記識別ＩＤに対応付けて記録し、
前記充電器は前記処理装置が行う処理の処理回数を前記識別ＩＤに対応付けて送信し、
前記管理サーバは前記各充電器で送信された前記識別ＩＤを対応付けた前記処理回数を受信し、該処理回数を累積加算し該累積加算した処理回数を前記識別ＩＤに対応付けて記録することを特徴とする請求項５に記載の電池管理システム。
【請求項７】
他の充電器および管理サーバとともに電池管理システムを構成し、電池の寿命を一元管理する情報を前記管理サーバに送信するとともに前記電池の充電を行う充電器において、
前記電池に付された前記識別ＩＤを読み取る読取手段と、
前記電池の寿命を一元管理する情報として該電池の充電終了を示す情報を前記読み取った識別ＩＤに対応付けて送信する送信手段と、
を備えたことを特徴とする充電器。
【請求項８】
他の充電器および管理サーバとともに電池管理システムを構成し、電池の寿命を一元管理する情報を前記管理サーバに送信するとともに前記電池の充電を行う充電器において、
前記電池に付された前記識別ＩＤを読み取る読取手段と、
前記電池の寿命を一元管理する情報として該電池の充電回数を前記読み取った識別ＩＤに対応付けて記録する記録手段と、
前記記録手段に記録した電池の充電回数を前記識別ＩＤに対応付けて送信する送信手段と、
該送信手段で送信した電池の充電回数の前記記録を前記記録手段から消去する消去手段と、
を備えたことを特徴とする充電器。
【発明の詳細な説明】
【技術分野】
【０００１】
本発明は、識別ＩＤが貼付された電池の充電および寿命を管理する電池管理システムおよび充電器に関するものである。
【背景技術】
【０００２】
従来、充電器では、電池を識別するための識別子を読取装置で読み取り、電池毎に充電回数が更新され、かつ記憶されるものがあった（特許文献１参照）。また、電池の管理方法では、電池に識別情報を持たせ、装着された電池から識別情報を読み取る機能を充電器に持たせ、さらに１台の充電器を計算機に接続して該計算機に識別情報と充電電圧の情報を送る機能を充電器に持たせて、計算機上で電池の個別情報を管理するものがあった（特許文献２参照）。また、電池の管理方法では、各充電装置が充電を行う際に電池の識別子をコンピュータへ送信ものがあった（特許文献３参照）。
【０００３】
【特許文献１】特開平５−１７２９１４号公報
【特許文献２】特開平１０−６６２６６号公報
【特許文献３】特開２００２−３１３４３３号公報
【発明の開示】
【発明が解決しようとする課題】
【０００４】
しかしながら、たとえば病院などでの電池管理システムにおいて複数の電池の電池寿命を管理する場合、同じ識別ＩＤの電池が複数の充電器で充電されることがあり、この場合には同じ識別ＩＤの電池の充電情報が充電を行ったそれぞれの充電器に分散して記録されるので、充電器毎に電池寿命を管理するものでは、電池寿命の管理が適切にできないという問題があった。また、１台の充電器からコンピュータが電池の充電電圧の情報を取り込んで電池寿命を判断しようとしても、複数の充電器で同じ識別ＩＤの電池が充電される場合には、どの充電器にどの識別ＩＤの電池の情報が記録されているか分かりづらく、充電電圧の情報取得および情報管理が煩雑になるという問題があった。また、電池の充電時に識別子をコンピュータへ送信するものでは、電池の容量を使い切らせるリフレッシュの要否を判断することを目的とし、同じ識別ＩＤの電池の充電情報が充電を行ったそれぞれの充電器に分散して記録されている場合の電池寿命の管理を行うことはできないという問題があった。
【０００５】
本発明は、上記に鑑みてなされたものであって、電池の電池寿命の一元管理を容易に行うことができる電池管理システムおよび充電器を提供することを目的とする。
【課題を解決するための手段】
【０００６】
上述した課題を解決し、目的を達成するために、この発明は、識別ＩＤが付された電池と、前記電池に付された前記識別ＩＤを読み取り該読み取った識別ＩＤを対応付けて電池の充電終了を示す情報を送信するとともに前記電池の充電を行う複数の充電器と、各充電器に接続され該各充電器で送信された前記識別ＩＤを対応付けた電池の充電終了を示す情報を受信し前記識別ＩＤ毎に該電池の充電終了を示す情報の受信回数を充電回数として累積加算し該累積加算した充電回数を前記識別ＩＤに対応付けて記録するとともに該充電回数をもとに電池寿命を管理する管理サーバと、を備えたことを特徴とする。
【０００７】
また、この発明は、上記発明において、前記識別ＩＤが付された電池は所定の処理を行う処理装置に装填されており、前記充電器は前記電池の充電終了を示す情報に代えて前記処理装置が行う処理の処理終了を示す情報を前記識別ＩＤに対応付けて送信し、前記管理サーバは前記各充電器で送信された前記識別ＩＤを対応付けた前記処理終了を示す情報を受信し前記識別ＩＤ毎に該処理終了を示す情報の受信回数を処理回数として累積加算し該累積加算した処理回数を前記識別ＩＤに対応付けて記録するとともに該処理回数をもとに電池寿命を管理することを特徴とする。
【０００８】
また、この発明は、識別ＩＤが付された電池と、前記電池に付された前記識別ＩＤを読み取り該読み取った識別ＩＤに対応付けて電池の充電回数を記憶し該記録した電池の充電回数を識別ＩＤに対応付けて送信し該送信した電池の充電回数の前記記録を消去するとともに前記電池の充電を行う複数の充電器と、各充電器に接続され該各充電器で送信された前記識別ＩＤを対応付けた電池の充電回数を受信し前記識別ＩＤ毎に該電池の充電回数を累積加算し該累積加算した充電回数を前記識別ＩＤに対応付けて記録するとともに該充電回数をもとに電池寿命を管理する管理サーバと、を備えたことを特徴とする。
【０００９】
また、この発明は、上記発明において、前記識別ＩＤが付された電池は所定の処理を行う処理装置に装填されており、前記充電器は前記電池の充電回数に代えて前記処理装置が行う処理の処理回数を前記識別ＩＤに対応付けて送信し、前記管理サーバは前記各充電器で送信された前記識別ＩＤを対応付けた前記処理回数を受信し前記識別ＩＤ毎に該電池の処理回数を累積加算し該累積加算した処理回数を前記識別ＩＤに対応付けて記録するとともに該処理回数をもとに電池寿命を管理することを特徴とする。
【００１０】
また、この発明は、装填された電池に付された識別ＩＤを読み取り、前記電池の充電回数を該読み取られた識別ＩＤに対応付けて記録するとともに所定の処理を行う処理装置と、前記処理装置に記録された電池の充電回数を前記識別ＩＤに対応付けて送信し該送信した電池の充電回数の前記記録を消去するとともに前記電池の充電を行う複数の充電器と、各充電器に接続され該各充電器で送信された前記識別ＩＤを対応付けた電池の充電回数の情報を受信し前記識別ＩＤ毎に該受信した電池の充電回数を累積加算し該累積加算した充電回数を前記識別ＩＤに対応付けて記録するとともに該記録した充電回数をもとに電池寿命を管理する管理サーバと、を備えたことを特徴とする。
【００１１】
また、この発明は、上記発明において、前記処理装置は、前記電池の充電回数に代えて前記処理装置が行う処理の処理回数を前記識別ＩＤに対応付けて記録し、前記充電器は前記処理装置が行う処理の処理回数を前記識別ＩＤに対応付けて送信し、前記管理サーバは前記各充電器で送信された前記識別ＩＤを対応付けた前記処理回数を受信し、該処理回数を累積加算し該累積加算した処理回数を前記識別ＩＤに対応付けて記録することを特徴とする。
【００１２】
また、この発明は、他の充電器および管理サーバとともに電池管理システムを構成し、電池の寿命を一元管理する情報を前記管理サーバに送信するとともに前記電池の充電を行う充電器において、前記電池に付された前記識別ＩＤを読み取る読取手段と、前記電池の寿命を一元管理する情報として該電池の充電処理を示す情報を前記読み取った識別ＩＤに対応付けて送信する送信手段と、を備えたことを特徴とする。
【００１３】
また、この発明は、他の充電器および管理サーバとともに電池管理システムを構成し、電池の寿命を一元管理する情報を前記管理サーバに送信するとともに前記電池の充電を行う充電器において、前記電池に付された前記識別ＩＤを読み取る読取手段と、前記電池の寿命を一元管理する情報として該電池の充電回数を前記読み取った識別ＩＤに対応付けて記録する記録手段と、前記記録手段に記録した電池の充電回数を前記識別ＩＤに対応付けて送信する送信手段と、該送信手段で送信した電池の充電回数の前記記録を前記記録手段から消去する消去手段と、を備えたことを特徴とする。
【発明の効果】
【００１４】
本発明にかかる電池管理システムおよび充電器は、各充電器から送信された識別ＩＤを対応付けた電池の充電終了を示す情報を管理サーバで受信し識別ＩＤ毎に電池の充電終了を示す情報の受信回数を充電回数として累積加算しこの累積加算した充電回数をもとに電池寿命を管理することで、電池の電池寿命の一元管理を容易に行うことができるという効果を奏する。
【発明を実施するための最良の形態】
【００１５】
以下に、本発明にかかる電池管理システムおよび充電器の実施の形態を図１〜図９の図面に基づいて詳細に説明する。なお、本発明は、これらの実施の形態に限定されるものではなく、本発明の要旨を逸脱しない範囲で種々の変更実施の形態が可能である。
【００１６】
（実施の形態１）
図１は、本発明にかかる電池管理システムの実施の形態１の構成を示すシステム構成図である。図１において、電池管理システムは、複数の電池１，１ａ，１ｂと、複数の充電器２，２ａ，２ｂと、管理サーバ３とを有している。
【００１７】
電池１，１ａ，１ｂは、充電器によって再充電が可能な二次電池からなり、たとえば情報端末装置などの処理装置に装填されるものである。この電池は、バーコードなどの識別ＩＤを読み取り可能なように貼付などの方法で固定している。なお、識別ＩＤはＲＦＩＤタグなどを用いることも可能である。
【００１８】
充電器２，２ａ，２ｂは、装着された電池１，１ａ，１ｂの充電を行うものである。これら充電器は、それぞれ同一の構成からなるので、ここでは代表して充電器２の構成を説明する。充電器２は、電池検出部２１と、充電部２２と、ＩＤ読取部２３と、通信部２４と、これら各部を制御する制御部２５とを備えている。
【００１９】
電池検出部２１は、電池１の着脱を検出するもので、たとえば充電器２に電池１が一定時間装着されると、これを検出して制御部２５に通知する。
【００２０】
充電部２２は、制御部２５の制御のもと、電池１に対して直流電流を供給して充電を行う。制御部２５は、充電部２２に電池１の電圧、抵抗などを計測させ、電池１が充電に必要な所定の要件を満たしているか否か判断する。電池１がこの所定の要件を満たしていると判断されると、制御部２５は、電池１の充電を終了させる。
【００２１】
ＩＤ読取部２３は、読取手段としての光学読取機能を有している。ＩＤ読取部２３は、制御部２５の制御のもと、光学情報記憶媒体であるバーコードなどの識別ＩＤからの反射光をもとにバーコードの情報を読み取り、読み取った情報を制御部２５に送出する。なお、識別ＩＤがＲＦＩＤタグからなる場合には、ＩＤ読取部２３は、ＲＦＩＤタグの情報の読み出しおよび書込みを行うリーダライタからなる。制御部２５は、ＩＤ読取部２３からの情報をもとに識別ＩＤを認識する。
【００２２】
通信部２４は、送信手段としての機能を有し、制御部２５の制御のもと、電池の充電終了を示す情報をＩＤ読取部２３が読み取った電池の識別ＩＤに対応付けて管理サーバ３へ送信する。制御部２５は、電池の充電を契機に電池の充電終了を示す情報を送信するように通信部２４を制御してもよいし、また管理サーバ３からのポーリング要求に応じて電池の充電終了を示す情報を送信するように通信部２４を制御してもよい。また、制御部２５は、充電器２に装着された電池１の充電処理を行い、電池１が充電に必要な所定の要件を満足すると、充電を終了する。
【００２３】
管理サーバ３は、複数の充電器２，２ａ，２ｂにたとえばネットワークを介して電気的に接続される。管理サーバ３は、通信部３１と、記録部３２と、これら各部を制御する管理部３３とを備える。
【００２４】
通信部３１は、管理部３３の制御のもと、各充電器２，２ａ，２ｂで送信された識別ＩＤを対応付けた電池の充電終了を示す情報を受信し、管理部３３に送出する。管理部３３は、この電池の充電終了を示す情報が入力すると、識別ＩＤ毎に電池の充電終了を示す情報の受信回数を充電回数として累積加算し、この累積加算した充電回数を記録部３２に記録させる。記録部３２は、管理部３３の制御のもと、この累積加算した充電回数３２ｂを識別ＩＤ３２ａに対応付けて記録する。管理部３３は、記録部３２に記録された充電回数３２ｂをもとに電池の寿命を管理する。すなわち管理部３３は、充電回数が予め設定された所定回数に達すると、電池が耐用限界に至ったものとみなして、たとえば電池の交換を要求するメッセージなどを報知する。
【００２５】
次に、充電器２および管理サーバ３の制御動作を図２および図３のフローチャートを用いて説明する。図２は、図１に示した充電器２の制御動作を説明するためのフローチャートである。図２において、まず、充電器２の制御部２５は、充電器２に電池１が装着されて電池検出部２１が電池１を検出すると（ステップＳ１０１）、充電部２２を介して電池１に充電処理を行う（ステップＳ１０２）。
【００２６】
次に、制御部２５は、電池１が充電に必要な所定の要件を満たしているか否か判断し、充電終了の判断を行う（ステップＳ１０３）。制御部２５は、電池１が所定の要件を満たしている場合、充電終了と判断し（ステップＳ１０３：Ｙｅｓの場合）、充電を終了する。制御部２５は、充電が終了すると、電池１に貼付されている識別ＩＤ１１を読み込み（ステップＳ１０４）、充電終了を示す情報にこの識別ＩＤを対応付けて管理サーバ３に送信させて（ステップＳ１０５）、上記動作を終了する。
【００２７】
図３は、図１に示した管理サーバ３の制御動作を説明するためのフローチャートである。図３において、管理サーバ３の管理部３３は、充電器２から識別ＩＤ１１を対応付けた充電終了を示す情報が受信されると（ステップＳ１２１）、記録部３２を検索してこの識別ＩＤ１１と同じ識別ＩＤの記録があるか否か判断する（ステップＳ１２２）。
【００２８】
ここで、管理部３３は、記録部３２内に同一の識別ＩＤが記録されていない場合（ステップＳ１２２：Ｎｏの場合）、電池１の充電終了を示す情報の受信回数を充電回数とみなして、識別ＩＤ１１と充電回数「１」を対応付けて記録部３２に記録させ（ステップＳ１２３）、また同一の識別ＩＤが記録されている場合（ステップＳ１２２：Ｙｅｓの場合）、電池１の充電終了を示す情報の受信回数を充電回数とみなして、記録部３２内の該当する識別ＩＤ１１に対応する充電回数に「１」を累積加算して記録させる（ステップＳ１２４）。
【００２９】
次に、管理部３３は、識別ＩＤ１１に対応する充電回数が所定回数に達したか否か判断し（ステップＳ１２５）、この充電回数が所定回数に達していない場合（ステップＳ１２５：Ｎｏの場合）、電池１は耐用限界に至っていないものと判断して、使用が可能な正常状態であると判定し（ステップＳ１２６）、またこの充電回数が所定回数に達している場合（ステップＳ１２５：Ｙｅｓの場合）、電池１は耐用限界に至ったものと判断して、電池交換が必要であると判定する（ステップＳ１２７）。管理部３３は、上記判定が終了すると、判定結果を充電器２に対して出力処理して（ステップＳ１２８）、上記制御動作を終了する。
【００３０】
このように、この実施の形態１では、各充電器２，２ａ，２ｂから識別ＩＤに対応する電池１の充電終了を示す情報を受信すると、管理サーバ３は識別ＩＤ毎にこの情報の受信回数を充電回数として累積加算し、この累積加算した充電回数を識別ＩＤに対応付けて記録部３２に記録するとともに、この充電回数をもとに電池寿命を管理するので、電池の電池寿命の一元管理を管理サーバで容易に行うことができる。
【００３１】
なお、この実施の形態１では、電池１の充電終了を示す情報を管理サーバに送信するようにしたが、本発明はこれに限らず、たとえば識別ＩＤが付された電池１は情報端末装置などの所定の処理を行う図示しない処理装置に装填されており、充電器２は、この電池１の充電終了を示す情報に代えて、処理装置が行う処理の処理終了を示す情報をこの電池１の識別ＩＤ１１に対応付けて送信するように設定することも可能である。すなわち、処理装置が行う１回の処理に使用する電池の消耗量が分かっている場合に、この電池を使用した処理装置の処理回数を検出することで、電池寿命を管理することが可能となる。管理サーバ３は、各充電器２，２ａ，２ｂで送信された識別ＩＤを対応付けた上記処理終了を示す情報を受信し、識別ＩＤ毎に該処理終了を示す情報の受信回数を処理回数として累積加算し、この累積加算した処理回数を識別ＩＤに対応付けて記録するとともに、この処理回数をもとに電池寿命を管理するように設定することが可能である。この場合にも、実施の形態１と同様に、電池の電池寿命の一元管理を管理サーバ３で容易に行うことができる。
【００３２】
（実施の形態２）
図４は、本発明にかかる電池管理システムの実施の形態２の構成を示すシステム構成図である。図４において、図１に示した電池管理システムと異なる点は、充電器２が識別ＩＤ２６ａに対応して充電回数２６ｂを記録する記録部２６を備える点である。
【００３３】
たとえば病院内のように、充電器２が常にネットワーク接続可能な環境下であれば、実施の形態１のように電池を充電する毎に充電器２から管理サーバ３に充電終了を示す情報を送信すればよいが、スクリーニング検査などで充電器を外部（ネットワークの環境下以外の環境下）に持ち運んで充電を行った場合、充電器２に充電回数を記録する記録部２６がないと、後にネットワークに接続されても管理サーバ３に充電回数を示す情報を送信することができなくなる。
【００３４】
そこで、この実施の形態２では、充電器２に記録部２６を設け、各識別ＩＤ２６ａに対応して充電回数２６ｂを一時的に記録部２６に記録し、充電器２をネットワークに接続した時点で通信部２４から管理サーバ３に充電回数２６ｂの情報を送信することができるようにする。さらにこの実施の形態２では、制御部２５は、通信部２４から送信した電池の充電回数２６ｂの記録を記録部２６から消去する消去手段の機能を備え、管理サーバ３への充電回数の送信が重複しないように構成している。
【００３５】
次に、充電器２の制御動作を図５のフローチャートを用いて説明する。図５において、まず、充電器２の制御部２５は、充電器２に電池１が装着されて電池検出部２１が電池１を検出すると（ステップＳ２０１）、充電部２２を介して電池１に充電処理を行う（ステップＳ２０２）。
【００３６】
次に、制御部２５は、電池１が充電に必要な所定の要件を満たしているか否か判断し、充電終了の判断を行う（ステップＳ２０３）。制御部２５は、電池１が所定の要件を満たしている場合、充電終了と判断し（ステップＳ２０３：Ｙｅｓの場合）、充電を終了する。制御部２５は、充電が終了すると、電池１に添付されている識別ＩＤ１１を読み込み（ステップＳ２０４）、さらに記録部２６を検索してこの識別ＩＤ１１と同じ識別ＩＤの記録があるか否か判断する（ステップＳ２０５）。
【００３７】
ここで、制御部２５は、記録部２６内に同一の識別ＩＤが記録されていない場合（ステップＳ２０５：Ｎｏの場合）、新たに記録する識別ＩＤと判断して、識別ＩＤ１１と充電回数「１」を対応付けて記録部２６に記録させ（ステップＳ２０６）、また同一の識別ＩＤが記録部２６に記録されている場合（ステップＳ２０５：Ｙｅｓの場合）、該当する識別ＩＤ１１に対応する充電回数に「１」を累積加算して記録部２６に記録させる（ステップＳ２０７）。
【００３８】
次に、制御部２５は、充電回数にこの識別ＩＤに対応付けて管理サーバ３に送信させる（ステップＳ２０８）。さらに制御部２５は、この送信させた識別ＩＤに対応した充電回数の記録を記録部２６から削除する処理を行い（ステップＳ２０７）、上記動作を終了する。
【００３９】
管理サーバ３の管理部３３は、実施の形態１の図３に示した制御動作と同様の制御動作を行って、識別ＩＤ毎に電池１の充電回数を累積加算し、この累積加算した充電回数を識別ＩＤに対応付けて記録部３２に記録し、この記録した充電回数３２ｂをもとに電池の寿命を判定して各電池１，１ａ，１ｂの電池寿命を管理することができる。
【００４０】
このように、この実施の形態２では、各充電器２，２ａ，２ｂに電池１，１ａ，１ｂの充電回数を識別ＩＤに対応して記録し、各充電器２，２ａ，２ｂから識別ＩＤに対応する電池の充電回数を受信すると、管理サーバ３は識別ＩＤ毎に充電回数を累積加算し、この累積加算した充電回数を識別ＩＤに対応付けて記録するとともに、この充電回数をもとに電池寿命を管理するので、電池の電池寿命の一元管理を管理サーバで容易に行うことができる。
【００４１】
また、この実施の形態２では、各充電器２，２ａ，２ｂに電池１，１ａ，１ｂの充電回数を記録する記録部２６を設けたので、充電器をネットワーク環境下以外の外部に持ち運んで充電を行った場合、充電器２の記録部２６に充電回数を記録することができるので、後にネットワークに接続されると、充電器２は管理サーバ３に充電回数を送信することができ、さらに電池の電池寿命の一元管理を容易に行うことができる。
【００４２】
また、この実施の形態２では、充電器２は、管理サーバ３に送信した電池の充電回数の記録を記録部２６から削除する処理を行うので、管理サーバ３への充電回数の重複した送信を防ぐことができ、さらに電池の電池寿命の一元管理を容易に行うことができる。
【００４３】
なお、この実施の形態２でも、実施の形態１と同様に、識別ＩＤが付された電池１は情報端末装置などの所定の処理を行う図示しない処理装置に装填されており、充電器２は、電池の充電回数の情報に代えて、処理装置が行う処理の処理終了を示す情報をこの電池１の識別ＩＤ１１に対応付けて記録部２６に記録し、かつ送信するように設定することも可能である。管理サーバ３は、各充電器２，２ａ，２ｂで送信された識別ＩＤを対応付けた上記処理終了を示す情報を受信し、識別ＩＤ毎に該処理終了を示す情報の受信回数を処理回数として累積加算し、この累積加算した処理回数を識別ＩＤに対応付けて記録するとともに、この処理回数をもとに電池寿命を管理するように設定することが可能である。この場合にも、実施の形態２と同様に、電池の電池寿命の一元管理を管理サーバ３で容易に行うことができる。
【００４４】
（実施の形態３）
図６は、本発明にかかる電池管理システムの実施の形態３の構成を示すシステム構成図である。図６において、図４に示した電池管理システムと異なるのは、電池１が処理装置としての受信機４に装填されている。受信機４は、たとえば被検体の体内を撮影する図示しないカプセル型内視鏡からの画像データを受信し、受信した画像データ４３ｃを記録する記録部４３を備えており、制御部４４は、充電器２が行う転送処理工程での画像データの転送回数（処理回数）を検出し、この検出した転送回数を累積加算して識別ＩＤ４３ａに対応付けてこの記録部４３に記録させる。
【００４５】
ところで通常、カプセル型内視鏡では、被検体の撮像時間および撮像レートが予め決められており、これらの条件から受信機４に受信される画像データのデータ量も決まってくる。したがって、受信機４に記録されている画像データの１回の転送に使用される電池の消耗量も認識することができるので、この電池を使用した画像データの転送回数を検出することで、電池寿命を管理することが可能となる。
【００４６】
また、この実施の形態３では、受信機４は、ＩＤ読取部４１と、充電器検出部４２とを備えている。充電器検出部４２は、制御部４４の制御のもと充電器２に一定時間装着されると、これを検出して制御部４４に通知する。ＩＤ読取部４１は、制御部４４の制御のもと電池１に付された識別ＩＤを読み取り、読み取った識別ＩＤを制御部４４に送出する。制御部４４は、上記転送回数を識別ＩＤに対応して記録部４３に記録させる。
【００４７】
また、この実施の形態３では、充電器２は、転送処理部２７を備え、この転送処理部２７は、受信機４が装着されて充電が終了すると、受信機４の記録部４３に記録された画像データの転送処理を行う。この際に、転送処理部２７は、記録部４３に記録された転送回数４３ｂを識別ＩＤ３２ａに対応付け、かつ画像データのパケットヘッダに付加して送信させる。
【００４８】
また、この実施の形態３では、管理サーバ３は、管理部３３の制御のもと、受信した転送回数を識別ＩＤ毎に累積加算し、この累積加算した転送回数を識別ＩＤに対応付けて記録部３２に記録させる。また、この記録部３２には、受信した画像データ３２ｄを記録することも可能である。
【００４９】
次に、受信機４、充電器２および管理サーバ３の制御動作を図７〜図９のフローチャートを用いて説明する。図７は、図６に示した受信機４の制御動作を説明するためのフローチャートである。図７において、まず、受信機４の制御部４４は、充電器検出部４２が充電器に装着されたことを検出すると（ステップＳ３０１）、電池１に貼付されている識別ＩＤ１１を読み込み（ステップＳ３０２）、記録部４３を検索してこの識別ＩＤ１１と同じ識別ＩＤの記録があるか否か判断する（ステップＳ３０３）。
【００５０】
ここで、制御部４４は、記録部４３内に同一の識別ＩＤが記録されていない場合（ステップＳ３０３：Ｎｏの場合）、識別ＩＤ１１と転送回数「１」を対応付けて記録部４３に一時的に記録させ（ステップＳ３０４）、また同一の識別ＩＤが記録されている場合（ステップＳ３０３：Ｙｅｓの場合）、記録部４３内の該当する識別ＩＤ１１に対応する転送回数に「１」を累積加算して一時的に記録させる（ステップＳ３０５）。
【００５１】
次に、制御部４４は、転送処理部２７からの送出指示に基づき、記録部４３から識別ＩＤ４３ａ、転送回数４３ｂおよび画像データ４３ｃを読み出して転送処理部２７に送出する（ステップＳ３０６）。さらに制御部４４は、送出した転送回数４３ｂの記録を記録部４３から消去して（ステップＳ３０７）、上記制御動作を終了する。
【００５２】
図８は、図６に示した充電器２の転送処理動作を説明するためのフローチャートである。図８において、充電器２の転送処理部２７は、受信機４に受信した画像データがある場合（ステップＳ３２１）、受信機４から識別ＩＤ４３ａ、転送回数４３ｂおよび画像データ４３ｃを取り込み、画像データのパケットヘッダに識別ＩＤに対応付けた転送回数を付加した画像データのパケットを作成する転送処理を行う（ステップＳ３２２）。なお、この転送処理の間、制御部２５は、電池１の充電処理を行う。
【００５３】
次に、転送処理部２７は、転送処理が終了したか否か判断し（ステップＳ３２３）、転送処理が終了していない場合（ステップＳ３２３：Ｎｏの場合）、ステップＳ３２２に戻って転送処理を行う。また、転送処理部２７は、転送処理が終了した場合（ステップＳ３２３：Ｙｅｓの場合）、制御部２５および通信部２４を介して管理サーバへのデータ転送を可能にして（ステップＳ３２４）、上記転送処理動作を終了する。
【００５４】
図９は、図６に示した管理サーバ３の制御動作を説明するためのフローチャートである。図９において、管理サーバ３の管理部３３は、充電器２から画像データが受信されると（ステップＳ３４１）、画像データのパケットヘッダから識別ＩＤに対応付けられた転送回数の抽出を行い（ステップＳ３４２）、記録部３２を検索してこの識別ＩＤ１１と同じ識別ＩＤの記録があるか否か判断する（ステップＳ３４３）。
【００５５】
ここで、管理部３３は、記録部３２内に同一の識別ＩＤが記録されていない場合（ステップＳ３４３：Ｎｏの場合）、受信した識別ＩＤ１１と充電回数を対応付けて記録部３２に記録させ（ステップＳ３４４）、また同一の識別ＩＤが記録されている場合（ステップＳ３４３：Ｙｅｓの場合）、記録部３２内の該当する識別ＩＤ１１に対応する充電回数に、パケットヘッダから抽出した転送回数を加算して記録させる（ステップＳ３４５）。さらに管理部３３は、受信した画像データを記録部３２に記録させる（ステップＳ３４６）。
【００５６】
次に、管理部３３は、識別ＩＤ１１に対応する充電回数が所定回数に達したか否か判断し（ステップＳ３４７）、この充電回数が所定回数に達していない場合（ステップＳ３４７：Ｎｏの場合）、電池１は耐用限界に至っていないものと判断して、使用が可能な正常状態であると判定し（ステップＳ３４８）、またこの充電回数が所定回数に達している場合（ステップＳ３４７：Ｙｅｓの場合）、電池１は耐用限界に至ったものと判断して、電池交換が必要であると判定する（ステップＳ３４９）。管理部３３は、上記判定が終了すると、判定結果を充電器２に対して出力処理して（ステップＳ３５０）、上記制御動作を終了する。
【００５７】
このように、この実施の形態３では、充電回数に代えて受信機４に充電器の転送回数を識別ＩＤに対応付けて送信し、各充電器２，２ａ，２ｂから転送回数を受信すると、管理サーバ３は識別ＩＤ毎に転送回数を利うせ機加算し、この累積加算した転送回数を識別ＩＤに対応付けて記録するとともに、この転送回数をもとに電池寿命を管理するので、実施の形態２と同様に電池の電池寿命の一元管理を管理サーバで容易に行うことができる。
【００５８】
また、この実施の形態３では、通常受信機４が有する画像データの記録部４３に転送回数のデータを一時的に記録するので、新たなデータベースを必要とすることなく、転送回数の記録を行うことができ、部品点数および製作コストの増加を防ぐことができる。
【００５９】
また、この実施の形態３では、画像データのパケットヘッダに転送回数を付加して管理サーバ３に転送するので、伝送トラフィックを増加することなく、転送回数を管理サーバ３に転送することが可能となる。
【図面の簡単な説明】
【００６０】
【図１】本発明にかかる電池管理システムの実施の形態１の構成を示すシステム構成図である。
【図２】図１に示した充電器の制御動作を説明するためのフローチャートである。
【図３】図１に示した管理サーバの制御動作を説明するためのフローチャートである。
【図４】本発明にかかる電池管理システムの実施の形態２の構成を示すシステム構成図である。
【図５】図４に示した充電器の制御動作を説明するためのフローチャートである。
【図６】本発明にかかる電池管理システムの実施の形態３の構成を示すシステム構成図である。
【図７】図６に示した受信機の制御動作を説明するためのフローチャートである。
【図８】図６に示した充電器の転送処理動作を説明するためのフローチャートである。
【図９】図６に示した管理サーバの制御動作を説明するためのフローチャートである。
【符号の説明】
【００６１】
１ａ，１ｂ  電池
２，２ａ，２ｂ  充電器
３  管理サーバ
４  受信機
２１  電池検出部
２２  充電部
２３，４１  ＩＤ読取部
２４  通信部
２５，４４  制御部
２６，３２，４３  記録部
１１，２６ａ，３２ａ，４３ａ  識別ＩＤ
２６ｂ，３２ｂ  充電回数
２７  転送処理部
３１  通信部
３２ｄ，４３ｃ  画像データ
３３  管理部
４２  充電器検出部
４３ｂ  転送回数
【図１】
2008079456.tif 000003
【図２】
2008079456.tif 000004
【図３】
2008079456.tif 000005
【図４】
2008079456.tif 000006
【図５】
2008079456.tif 000007
【図６】
2008079456.tif 000008
【図７】
2008079456.tif 000009
【図８】
2008079456.tif 000010
【図９】
2008079456.tif 000011